(57)【要約】【課題】  端末機の小形化及び軽量化を図り全体体積の少ない冷蔵庫を提供する。また、端末機が間違った方向に挿着されても電源供給装置と端末機とを相互に電気的に連結して端末機の誤装着による接続不良を防止すると共に、端末機の前面が後方に向かって本体に装着されうるようにして、操作不能者による端末機の損傷或いは誤操作を防止する。【解決手段】  外観をなす本体１０と、前記本体に着脱可能に提供され、冷蔵庫を制御する端末機７０と、前記本体の一方に提供され、外部から電源の供給を受けて所定の充電電源に変換し、前記端末機側に供給する電源供給装置４０と、前記電源供給装置と前記端末機とを電気的に連結する電気連結部とを含む。【選択図】      図２
2004271174.tif 000002
【特許請求の範囲】
【請求項１】
外観をなす本体と、
前記本体に着脱可能に提供され、冷蔵庫を制御する端末機と、
前記本体の一方に提供され、外部から電源の供給を受けて所定の充電電源に変換し、前記端末機側に供給する電源供給装置と、
前記電源供給装置と前記端末機とを電気的に連結する電気連結部とを含む冷蔵庫。
【請求項２】
前記本体は、
前記端末機を収容し、前記端末機の着脱のために開閉可能に提供されるケースと、
前記ケースが挿入連結されるケース挿入溝とを含む請求項１記載の冷蔵庫。
【請求項３】
前記ケースは、
前記端末機が挿入されるように開放された上部と、
前記端末機の前面が露出するように、所定の大きさの窓を有する前面部と、
前記端末機の下面を支持する底面部と、
前記端末機の両側面を支持して案内する側面部と、
前記端末機の背面を支持する背面部とを含む請求項２記載の冷蔵庫。
【請求項４】
前記ケースの側面部は、
前記端末機の挿入/引出が容易なように、前記端末機の両側面より低く形成される請求項３記載の冷蔵庫。
【請求項５】
前記ケースの背面部は、
前記端末機の挿入/引出が容易なように、前記端末機の背面より低く形成される請求項３記載の冷蔵庫。
【請求項６】
前記本体は、
前記ケースが回転によって開閉されるように、前記ケースと、前記ケースの挿入溝とを連結する回転装置をさらに含む請求項３記載の冷蔵庫。
【請求項７】
前記回転装置は、
前記ケースの側面部と、前記挿入溝の両側面に提供されるヒンジ部を含む請求項６記載の冷蔵庫。
【請求項８】
前記ヒンジ部は、
前記ケースの下部の両側面にそれぞれ形成され、前記ケースの回転中心となる突起部と、
前記突起部に対応するように前記挿入溝の両側面に形成される溝部とを含む請求項７記載の冷蔵庫。
【請求項９】
前記電源供給装置は、
外部電源の供給を受けるＡＣアダプタと、
前記ＡＣアダプタから電源の供給を受け、所定の充電電源に変換する充電レギュレータと、
前記電気連結部を介して前記端末機に供給される充電電源を調節するように、前記充電レギュレータを制御して供給される充電電源を調節するマイクロコンピュータとを含む請求項１記載の冷蔵庫。
【請求項１０】
前記電気連結部は、
前記端末機の内部に収容される充電バッテリと、前記電源供給装置とを電気的に連結する接続端子部と、
前記接続端子部と、前記電源供給装置とを電気的に連結する電気配線とを含む請求項３記載の冷蔵庫。
【請求項１１】
前記接続端子部は、
前記充電バッテリに電気的に連結されるように、前記端末機の一方に提供される第１接続端子と、
前記端末機の装着時に前記第１接続端子に対応するように前記ケースに提供される第２接続端子とを含む請求項１０記載の冷蔵庫。
【請求項１２】
前記接続端子部は、
前記充電バッテリに電気的に連結されるように、前記端末機の一方に提供される第１接続端子と、
前記端末機の前面が前方を向くように装着される場合、前記第１接続端子に対応するように前記ケースに提供される第２接続端子と、
前記端末機の前面が後方を向くように装着される場合、前記第１接続端子に対応するように前記ケースに提供される補助接続端子とを含む請求項１０記載の冷蔵庫。
【請求項１３】
前記第１接続端子は、
前記端末機の下面の一方に提供される請求項１２記載の冷蔵庫。
【請求項１４】
前記第２接続端子と前記補助接続端子は、前記ケースの底面部に相互に対称になるように備えられる請求項１３記載の冷蔵庫。
【請求項１５】
前記第２接続端子と前記補助接続端子は、
前記端末機側に突出するように提供される請求項１４記載の冷蔵庫。
【請求項１６】
前記端末機は、
その下面に前記第１接続端子と対称になるように形成され、前記端末機が傾いたり、第２接続端子、または前記補助接続端子が損傷したりしないように、前記第２接続端子、または前記補助接続端子を収容する端子溝を含む請求項１５記載の冷蔵庫。
【請求項１７】
前記端末機は、
前記本体の前面にあるドアの前面に着脱される請求項１記載の冷蔵庫。
【請求項１８】
前記端末機は、
前面に冷蔵庫の運転情報を表示する画面を有する請求項１７記載の冷蔵庫。
【請求項１９】
前記端末機は、
タッチスクリーン方式で命令を入力する請求項１８記載の冷蔵庫。
【発明の詳細な説明】
【技術分野】
【０００１】
本発明は冷蔵庫に関し、特に着脱型端末機を有する冷蔵庫に関する。
【背景技術】
【０００２】
一般に冷蔵庫は、飲食物の新鮮度を長時間維持し、かつユーザーに水などの飲料を冷たい状態で提供したり、氷を提供する装置である。
前記冷蔵庫の内部には冷凍サイクルの一部を構成する圧縮機が備えられており、その圧縮機の駆動によって前記冷蔵庫の内部は常に所定の温度以下に維持される。
【０００３】
一方、最近の冷蔵庫は、冷蔵及び冷凍機能をユーザーが単純に手動で操作するのでなく、冷蔵庫自体にネットワークが可能な装置が備えられ、インターネットを通じて情報を提供されたり、ホームネットワークシステムの主制御機器によって作動するように所定のコンピュータが内蔵され、冷蔵庫自体が電子的に制御される。
【０００４】
そして、前記冷蔵庫の外部に前記コンピュータが内蔵された端末機画面が提供され、ユーザーは一種のタッチスクリーンのような方式で冷蔵庫の運転に必要な命令を入力できるようになる。
【０００５】
図１は従来技術による冷蔵庫を示す斜視図である。
図１を参照すると、前記冷蔵庫１のドアの正面に冷蔵庫用端末機２が取り付けられており、前記冷蔵庫用端末機２は、外部の電源が直接に連結され、電源を供給される。
そして、前記端末機２の前面には前記冷蔵庫の運転情報を表示する画面表示部が備えられ、ユーザーが冷蔵庫の運転状態をチェックしたり、タッチスクリーン方式によって運転命令を入力できるようになる。
【０００６】
一方、前記端末機には電源供給装置が内蔵されており、前記電源供給装置は、ＡＣアダプタと、前記ＡＣアダプタから電源の供給を受け、所定の大きさの充電電源を供給する充電レギュレータと、及び前記充電レギュレータを制御して供給される充電電源を調節するマイクロコンピュータとで構成されている。
【発明の開示】
【発明が解決しようとする課題】
【０００７】
しかしながら、上記の構成からなる冷蔵庫用端末機が取り付けられた冷蔵庫には次のような問題点がある。
【０００８】
第一、従来の電源供給装置は、上述したように、一般に冷蔵庫１のドアの前面の一方に取り付けられた冷蔵庫用端末機２に内蔵されることで、冷蔵庫用端末機の体積や重量を増加させ、前記冷蔵庫用端末機の小型化及び軽量化に差し支えがあった。
【０００９】
第二、従来技術による冷蔵庫の電源供給装置は、外部の電源を直接に供給されるので、高電圧による損傷のおそれがある。
【００１０】
第三、従来技術による冷蔵庫用端末機は一方向にのみ装着されるので、前記画面表示部が外部の異物質、または子供のような操作不能者による損傷の可能性が高いという問題がある。
【００１１】
そこで、本発明の目的は、端末機の小形化及び軽量化を図り、全体体積の少ない冷蔵庫を提供することにある。
【００１２】
本発明の他の目的は、端末機が間違った方向に挿着されても、電源供給装置と端末機とを相互に電気的に連結して、端末機の誤装着による接続不良を防止することにある。
【００１３】
本発明のまた他の目的は、端末機の前面が後方に向かって本体に装着されうるようにして、操作不能者による端末機の損傷、或いは誤操作を防止することにある。
【課題を解決するための手段】
【００１４】
上記目的を達成するため、本発明による冷蔵庫は、外観をなす本体と、前記本体に着脱可能に提供され、冷蔵庫を制御する端末機と、前記本体の一方に提供され、外部から電源の供給を受けて所定の充電電源に変換し、前記端末機側に供給する電源供給装置と、前記電源供給装置と前記端末機とを電気的に連結する電気連結部とを含むことを特徴とする。
【００１５】
前記本体は、前記端末機を収容し、前記端末機の着脱のために開閉可能に提供されるケースと、前記ケースが挿入連結されるケース挿入溝とを含む。
【００１６】
前記ケースは、前記端末機が挿入されるように開放された上部と、前記端末機の前面が露出するように、所定の大きさの窓を有する前面部と、前記端末機の下面を支持する底面部と、前記端末機の両側面を支持して案内する側面部と、前記端末機の背面を支持する背面部とを含む。
【００１７】
前記ケースの側面部は、前記端末機の挿入/引出が容易なように、前記端末機の両側面より低く形成される。
【００１８】
前記ケースの背面部は、前記端末機の挿入/引出が容易なように、前記端末機の背面より低く形成される。
【００１９】
前記本体は、前記ケースが回転によって開閉されるように、前記ケースと、前記ケースの挿入溝とを連結する回転装置をさらに含む。
【００２０】
前記回転装置は、前記ケースの側面部と、前記挿入溝の両側面に提供されるヒンジ部を含む。
【００２１】
前記ヒンジ部は、前記ケースの下部の両側面にそれぞれ形成され、前記ケースの回転中心となる突起部と、前記突起部に対応するように前記挿入溝の両側面に形成される溝部とを含む。
【００２２】
前記電源供給装置は、外部電源の供給を受けるＡＣアダプタと、前記ＡＣアダプタから電源の供給を受け、所定の充電電源に変換する充電レギュレータと、前記電気連結部を介して前記端末機に供給される充電電源を調節するように、前記充電レギュレータを制御して供給される充電電源を調節するマイクロコンピュータとを含む。
【００２３】
前記電気連結部は、前記端末機の内部に収容される充電バッテリと、前記電源供給装置とを電気的に連結する接続端子部と、前記接続端子部と、前記電源供給装置とを電気的に連結する電気配線とを含む。
【００２４】
前記接続端子部は、前記充電バッテリに電気的に連結されるように、前記端末機の一方に提供される第１接続端子と、前記端末機の装着時に前記第１接続端子に対応するように前記ケースに提供される第２接続端子と、を含む。
【００２５】
前記接続端子部は、前記充電バッテリに電気的に連結されるように、前記端末機の一方に提供される第１接続端子と、前記端末機の前面が前方を向くように装着される場合、前記第１接続端子に対応するように前記ケースに提供される第２接続端子と、前記端末機の前面が後方を向くように装着される場合、前記第１接続端子に対応するように、前記ケースに提供される補助接続端子とを含む。
【００２６】
前記第１接続端子は、前記端末機の下面の一方に提供される。
【００２７】
前記第２接続端子と前記補助接続端子は、前記ケースの底面部に相互に対称になるように備えられる。
【００２８】
前記第２接続端子と前記補助接続端子は、前記端末機側に突出するように提供される。
【００２９】
前記端末機は、その下面に前記第１接続端子と対称になるように形成され、前記端末機が傾いたり、第２接続端子、または前記補助接続端子が損傷したりしないように、前記第２接続端子、または前記補助接続端子を収容する端子溝を含む。
【００３０】
一方、前記端末機は、前記本体の前面にあるドアの前面に着脱される。
【００３１】
そして、前記端末機は、前面に冷蔵庫の運転情報を表示する画面を有し、タッチスクリーン方式で命令を入力する。
【発明の効果】
【００３２】
本発明による冷蔵庫の効果は次の通りである。
【００３３】
第一、端末機と電源供給装置とが別に構成されるので、端末機の小形化や軽量化が可能となり、これによって冷蔵庫全体の体積を減らせる。
【００３４】
第二、端末機の装着方向が変わっても、電源供給装置と端末機とを相互に電気的に連結する電気連結部の接続端子部が備えられ、端末機の誤装着による接続不良を防止する。
【００３５】
第三、接続端子部を収容する端子溝が備えられ、端末機の誤装着時に接続端子部の破損を防止し、端末機の傾きを防止する。
【発明を実施するための最良の形態】
【００３６】
以下、本発明による冷蔵庫の好ましい実施形態について、添付図面に基づいて詳細に説明する。
【００３７】
まず、本発明による冷蔵庫の機能について説明する。
【００３８】
前記冷蔵庫は、冷凍サイクルによって飲食物や飲料を新鮮な状態で保管及び維持する冷蔵機能、水を氷らせて氷状態で提供する製氷機能、及び飲食物を冷凍させ保管する冷凍機能を行うように構成される装置である。
【００３９】
このために、前記冷蔵庫には冷凍サイクルを構成する圧縮機と、熱交換装置などが備えられ、冷蔵庫の外観をなす本体の内部には飲食物を収容する冷蔵室と、冷凍室とがその使用目的に従って適当な大きさで形成される。
【００４０】
前記冷蔵室と冷凍室とで構成される内部空間は、前記冷蔵庫の本体の前面を構成するドアによって開閉され、前記ドアの前面には冷蔵庫を制御する小型コンピュータが内蔵された端末機が装着される。前記端末機によって、前記冷蔵庫は、ネットワークを介してインターネット上の情報を提供されたり、ホームネットワークシステムの主制御機器によって電子的に制御されうるし、ユーザーに情報を表示したり、ユーザーからの運転命令を入力する。
【００４１】
以下、図２乃至図５を参照にして本発明による冷蔵庫について説明する。
【００４２】
図２は、本発明による冷蔵庫の上部に着脱型端末機が備えられた状態を示す斜視図である。
図２を参照すると、本発明による冷蔵庫１は、外観をなす冷蔵庫本体１０と、前記本体の一方に設置される電源供給装置４０と、前記本体に提供される端末機７０と、及び前記電源供給装置４０と前記端末機７０とを電気的に連結する電気連結部とを備えている。
【００４３】
前記冷蔵庫本体１０には飲食物を収容する冷蔵室（図示せず）と、冷凍室（図示せず）とが備えられており、前記冷蔵室と冷凍室は、前記本体の前面をなすドア２０によって開閉されるように構成される。
【００４４】
前記ドア２０の前面には内側に形成された所定の空間を有する挿入溝５０と、前記挿入溝５０内に設置され、この挿入溝５０の両側壁５２、５３に回転可能に連結されるケース６０とが備えられている。そして、前記ケース６０には前記端末機７０が着脱可能に装着される。
【００４５】
図３を参照すると、前記ケース６０は、前記着脱型端末機７０の挿入/引出ができるように開放された上部（図示せず）と、前記端末機７０の前面をなす画面表示部７１が露出するように所定の大きさの窓６１を有する前面部６２と、前記端末機の両側面を支持して案内し、前記挿入溝５０の両側壁５２、５３に対応する側面部６４、６５と、前記端末機７０の背面を支持する背面部６６と、前記端末機の下面を支持する底面部６８とで構成されている。
【００４６】
前記ケース６０は、前記前面部６２、前記側面部６４、６５、前記背面部６６、及び底面部６８によって形成される内部空間に前記着脱型端末機７０が挿入、または分離されうるように、前記端末機７０の収容に適した所定の大きさを有する。
【００４７】
より詳述すると、前記ケース６０の内部空間は、前記着脱型端末機７０の大きさとほぼ同一または大きく形成される。但し、後述する接続端子の接続のために、前記ケース６０は、前記端末機７０を円滑に挿入/引出するために必要な最小の大きさからなり、前記端末機が前記ケースの内部に装着された状態で殆ど動かないようにすることが好ましい。
【００４８】
前記ケースの前面部６２には、前記端末機７０に備えられるマイク（図示せず）、及びカメラ（図示せず）が外部に露出しうるように、マイク用開口ホール６２ａ、及びカメラ用開口ホール６２ｂがさらに形成されうる。
【００４９】
また、前記ケースの前面部６２には前記ケース６０の開閉のために取っ手（図示せず）が形成されることもある。
前記ケース６０の側面部６４、６５は、挿入溝５０の両側壁５２、５３にヒンジ部５６のような回転装置によって結合され、前記ケース６０が回転によって開閉されうるようにする。より詳細には、前記ヒンジ部５６は、前記ケースの下部の両側面、または前記挿入溝の下部の両側壁のうち何れか一方の両側面にそれぞれ形成され、前記ケースの回転中心となる突起部（図示せず）、及び前記突起部に対応するように他方に形成される溝部（図示せず）で構成されうる。
【００５０】
図示してはいないが、前記回転装置は、前記ケース６０の底面部６８と、挿入溝５０の底部５５との間に提供されるヒンジでも構成されうることが分かる。
ここで、前記ケース６０は、ストッパー（図示せず）などによる従来の構成によって所定の角度でのみ開放されうるように構成されることが好ましい。
【００５１】
一方、前記ケースの側面部６４，６５は、前記着脱型端末機７０の両側面よりさらに低く形成して、ユーザーが開放された前記ケース６０から前記着脱型端末機７０を容易に分離させうるようにすることが良い。そして、前記ケース６０の背面部６６も前記端末機７０の背面よりさらに低く形成し、前記端末機７０の挿入/引出が容易なようにすることが好ましい。
即ち、前記ケースの側面部６４，６５と、背面部６６のうち少なくとも何れか一方は、前記着脱型端末機７０よりさらに低く形成される。
【００５２】
図２乃至図５を参照すると、前記電源供給装置４０は、前記端末機７０と別に前記冷蔵庫本体１０の一方、特に前記本体の上部に設置される。
図５を参照すると、冷蔵庫の外部から印加された電源は、前記電源供給装置４０によって前記電気連結部を介して前記着脱型端末機７０の充電用バッテリ７４に供給される。
ここで、前記電源供給装置４０は、外部の電源を入力されるＡＣアダプタ４２と、前記ＡＣアダプタ４２から電源の供給を受け、所定の大きさの充電電源を供給する充電レギュレータ４４、及び前記充電レギュレータ４４を制御して供給される充電電源を調節するマイクロコンピュータ４６とで構成される。
【００５３】
そして、前記電気連結部は、前記着脱型端末機７０の内部に収容される充電バッテリ７４に電気的に連結されるように前記端末機７０の一方に提供される第１接続端子７２と、前記端末機７０の装着時に前記第１接続端子に対応するように前記ケースの底面部に提供される第２接続端子５８と、及び前記第２接続端子５８と前記電源供給装置４０とを電気的に連結する電気配線２２とを備えている。
【００５４】
前記第２接続端子５８は、前記端末機７０の装着方向が変わった場合、例えば、前記端末機７０の画面表示部７１が後方に向かうように装着された場合にも、前記第１接続端子７２と接続できるように構成されることが好ましい。このために、前記第１接続端子７２は、前記端末機７０の下面の中央に構成され、前記第２接続端子５８も前記ケース底面部６８の中央に設置されるように構成（図示せず）されうる。
【００５５】
上記構成とは異なり、前記第１接続端子７２が前記端末機の下面の一方、特に前部に提供され、前記第２接続端子５８は、前記ケース底面部６８の前部に提供され、前記端末機の画面表示部７１が前方に向かうように装着された場合にのみ前記第１接続端子に接続するように構成されることもある。ここで、前記電気連結部は、前記端末機の画面表示部７１が後方に向かうように装着された場合、前記第１接続端子７２に対応するように、前記ケースの底面部に提供される補助接続端子５９をさらに含む。より詳細に説明すると、前記第２接続端子と、前記補助接続端子は、前記ケース底面部６８に相互に対称になるように構成される。
【００５６】
前記端末機７０側の第１接続端子７２と、前記ケース側の第２接続端子５８は、少なくともある一方が突出するように構成されることが好ましい。これは、前記着脱型端末機７０が前記ケース６０内に挿着される時、両側端子７２、５８の接続不良を防止して電源供給が円滑に行われるようにするためである。
【００５７】
本実施形態においては、前記第２接続端子５８が突出するように構成されており、これに対応して、前記補助接続端子５９も突出するように構成される。
前記接続端子部が提供される位置は、前記ケース６０の底面部および前記着脱型端末機７０の下面以外の位置にも提供されうることは勿論である。
【００５８】
また、前記着脱型端末機７０の下面には、前記第１接続端子５８と対称になる位置に端子溝７３がさらに形成されることが好ましい。
【００５９】
前記端子溝７３は、前記着脱型端末機７０が前記ケースに挿着された場合、前記補助接続端子、または第２接続端子を収容して前記端末機の傾きを防止し、前記補助接続端子、または第２接続端子の損傷を防止する。
【００６０】
前記第１接続端子７２、第２接続端子５８、及び前記補助接続端子５９は、前記電気連結部の接続端子部を構成する。本発明において、前記接続端子部は、前記端末機の装着方向が変わった場合、特に、前記画面表示部の方向が後方に向かうように装着された場合にも、前記端末機の充電バッテリ７４が前記電源供給装置４０との電気的な連結を維持できるように構成されるし、前記接続端子部の構成は、上述したものに限定されず、多様に行われうることが分かる。即ち、前記補助接続端子が前記端末機のコンピューターに連結されるように端末機側に形成され、前記端子溝が前記ケースの底面部に形成されるように、本発明とは逆の構成を有することもある。
【００６１】
次に、前記電気配線２２は、前記電源供給装置４０から前記接続端子部に電圧を印加するために、その一端が前記電源供給装置４０に連結され、他端が前記第２接続端子と前記補助接続端子とに連結される。ここで、前記電気配線２２は、前記冷蔵庫本体１０の上部壁、ドアヒンジ部２４、及び前記ドア２０の内部に沿って内設される。
このように前記ドア２０の内部を通過した電気配線２２は、前記ケース６０を介して前記第２接続端子と前記補助接続端子とに連結される。
【００６２】
このために、前記ケースの側面部６４は、その内部に所定の空間を有するように、外壁６４ａと内壁６４ｂとの二重構造を有し、前記外壁６４ａには前記電気配線が通過する所定の貫通ホール（図示せず）が形成されている。このような側面部６４の構造は、前記電気配線２２の通路を確保するためのもので、前記電気配線を案内する狭い通路のような所定のガイド溝の形態でも構成されうる。
【００６３】
前記ケースの底面部６８もその内部に空間を有するように、上壁６８ａと下壁６８ｂとの二重構造からなる。ここで、前記底面部６８の上壁６８ａには第２接続端子５８と、前記補助接続端子５９とが設置される開口ホール６９ａ，６９ｂが互いに対称になる位置に形成される。前記ケース底面部６８の構造もまた前記電気配線２２の通路を確保するものであるので、前記電気配線を案内する狭い通路のような所定のガイド溝の形態でも構成されうる。
【００６４】
また、前記電気配線２２と、前記各接続端子５８，５９との連結のために、前記ヒンジ部５６には軸方向に貫通する中孔５６ａが形成されており、前記ドア２０の内部を貫通した電気配線２２が前記ヒンジ部の中孔５６ａ、及び前記ケース６０の側面部６４と、底面部６８の内部空間を経て前記第２接続端子５８と、補助接続端子５９とに連結される。
【００６５】
上記と異なり、前記ケース６０の底面部６８と挿入溝５０の底部５５がヒンジによって結合され、前記ケース６０が開閉される場合、前記ヒンジの回転軸内に前記電気配線２２が通過できる貫通孔が形成され、前記電気配線２２が前記ケースの底面部を介して前記第２接続端子５８と、補助接続端子５９とに連結されることもある。
【００６６】
上記のような電気配線の設置構造は従来技術によって多様に構成されうる。
上記の構成によって、外部電源の供給を受けた前記電源供給装置４０は、充電電源を前記電気配線２２を介して前記端末機の充電バッテリに供給する。
【００６７】
より詳述すると、前記端末機の画面表示部７１が前方を向くように装着された場合には、前記電気配線２２と、前記第２接続端子５８と、及び前記第１接続端子７２を介して前記電源供給装置の充電電源が前記端末機の充電バッテリに供給され、前記端末機の画面表示部７１が後方を向くように装着された場合には、前記電気配線２２と、前記補助接続端子５９と、及び前記第１接続端子７２を介して前記電源供給装置の充電電源が前記端末機の充電バッテリに供給される。
【００６８】
次に、前記充電用バッテリ７４は、前記充電電源を貯蔵し、必要時に各冷蔵庫着脱型端末機７０の各素子（図示せず）に供給する。また、ユーザーは外出時に前記端末機７０が子供のような操作不能者によって誤操作、或いは損傷することを防止するために、前記画面表示部７１が後方に向かうように、つまり、外部に露出しないように前記冷蔵庫のケースに装着し、冷蔵庫の運転情報を見たり、運転命令を入力したい時には、前記画面表示部が前方に向かうように装着することで、冷蔵庫の運転情報を見たり、タッチスクリーン方式によって運転命令を入力することが可能である。
【００６９】
以上、幾つかの好適な実施形態について説明したが、本発明がその趣旨及び範囲から外れることなく、他のさまざまな形態で具体化され得ることは、当該技術に通常の知識を持ちあわせるものには明らかであろう。
【００７０】
したがって、本発明は、上述した実施形態に限定されるものではなく、特許請求の範囲、及びその同等範囲内にある全ての実施形態が本発明の範囲内に属するものと理解され得る。
【図面の簡単な説明】
【００７１】
【図１】従来技術による冷蔵庫を示す斜視図である。
【図２】本発明による冷蔵庫に着脱型端末機が備えられた状態を示す斜視図である。
【図３】本発明による冷蔵庫に提供される端末機と、その端末機が装着されるケースとが分離された状態を示す斜視図である。
【図４】本発明による冷蔵庫に提供される端末機を示す斜視図である。
【図５】本発明による冷蔵庫に提供される端末機、電源供給装置、及び前記端末機と電源供給装置とを連結する電気連結部の構成を示すブロック図である。
【符号の説明】
【００７２】
１…冷蔵庫
１０…冷蔵庫本体
２０…冷蔵庫ドア
２２…電気配線
２４…ドア用ヒンジ
４０…電源供給装置
４２…ＡＣアダプタ
４４…充電レギュレータ
４６…マイクロコンピュータ
５０…挿入溝
６０…端末機用ケース
７０…冷蔵庫用端末機
７４…充電用バッテリ
【図１】
2004271174.tif 000003
【図２】
2004271174.tif 000004
【図３】
2004271174.tif 000005
【図４】
2004271174.tif 000006
【図５】
2004271174.tif 000007